(57)【要約】【課題】手押し型掃除機に布雑巾着装のまま手を濡らさずに絞り．掃除することが出来且つ同一機具にて乾拭きも出来ることである【解決手段】丸棒の一端を折り曲げて柄７に固定し他の一端も中間に回転軸２を設け．横曲げ部３を接点に回転柄８につなげ丸棒１に袋型にした布雑巾を紐で紐掛４．５に固定し回転軸２を中心に回転柄８を回すことにより布雑布を絞り脱水可能となる。又モップ付け替えにより乾拭きも出来る。【選択図】      図１
0003101698.tif 000002
【実用新案登録請求の範囲】
【請求項１】
（イ）  丸棒１の１端を折りまげて柄７に固定し柄７の先端近くに保定具６を取りつける。
（ロ）  丸棒１の中間に回転軸２を設け折りまげて回転軸２と回転柄８をつなぐ接点に横曲げ部３を設ける。
（ハ）  柄７と回転柄８との間に固定具９及びマジックテープ１０．１１をつける。
（ニ）  丸棒１の両端近くに紐掛４．５を設置する。
以上のように構成された手押し型掃除機。
【請求項２】
請求項１の掃除機を小型縮小し柄７を回転柄８の末端と同じ長さに切り揃え固定具９を除外した掃除機。
【考案の詳細な説明】
【考案の詳細な説明】
【技術分野】
【０００１】本考案は床等を布雑巾で水拭きを行い．雑巾着装のまま水洗い及び絞りが簡易に出来且つ布雑巾をモップ雑巾に付け替えすることにより．乾拭きも出来る兼用手押し型掃除機に関するものである。
【背景技術】
【０００２】従来の水拭き用布雑巾は絞りがむづかしい為に殆どの手押し機具はモップが主体で別製の絞り機を使用しているものも多い。又着脱簡易な水拭き．乾拭き兼用機具も実用に供されているものは見当たらない。
【考案が解決しようとする課題】
【０００３】本考案は機具に水拭き雑巾着装のまま手を濡らさず水絞りが行いると共に．モップ付け替えにより乾拭きも出来る兼用とし．清掃時床側面に機具による損傷をあたえない為袋型にした雑巾で．機具の先端及び側面を被覆使用により解決をする。又機具の小型縮小化により片手で卓上や小間物類の掃除を行い易くし多用途を図る。
【課題を解決するための手段】
【０００４】丸棒の１端を折り曲げて柄に固定し他の１端の中間に回転軸を作り．回転軸から折り曲げて回転柄に接続する丸棒の先端に横曲げ部を作る．横曲げ部は約４５度角位横曲げ出来るように設定する。
又柄と回転柄が平行に固定出来るように柄と回転柄との間に．
マジックテープの貼付及び保定具．固定具を取りつけ固定し且つその取りはずしの簡易なものとする。
【作用と実施の形態】
【０００５】これを図面について説明すると．
図５（イ）は布雑巾接着時の形態であるが説明上．雑巾を取りはずした機具の状態である図１〜図４を主体に説明する。
回転柄８の先端に接続する最大横曲げ角度約４５程度に設定されてある．横曲げ部３を基点に柄７より回転柄８を横に引きはなす図４．引きはなした回転柄８を片手で握り回転軸２を中心に回転を行う．布雑巾を着装の場合図５（イ）は雑巾が回転によりねじれて水を絞る状態となり．絞りが終れば回転を元にもどして柄７に回転柄８を平行に接着させる。
【０００６】柄７と回転柄８との間にはマジックテープ１０．１１を貼付し且つ保定具６を付けて，回転柄８の前後の振れを押さえ更に掛けはずしの簡易に出来る固定具９を取りつけて接着を安定にする。又マジックテープの代わりに滋石等を用いてもよく固定具９は市販品の活用でもよい。
図５（イ）（ロ）袋型にした布．及びモップ雑巾は丸棒１の前面．側面を被覆し側面にある２ヵ所のゴム紐を丸棒１に付随する紐掛４、５．に掛けて固定させて清掃．絞り等の操作を行う。
図６は機具を小型縮小し柄７．回転柄８を同じ長さに切り揃えて柄７．回転柄８を合わせて片手で握り清掃出来るようにしたものであり構造．機能は前者と同一である。
【図面の簡単な説明】
【図１】  兼用手押し型掃除機主要部の正面図である。
【図２】  同上掃除機主要部の左側面図である。
【図３】  兼用手押し型掃除機の全体正面図である。
【図４】  兼用手押し型掃除機の回転軸２を中心に回転する想像図の正面図である。
【図５】  （イ）．布雑巾着装の正面図である。  （ロ），モップ雑巾着装の正面図である。
【図６】  兼用手押し型掃除機を小型縮小した正面図である．
【符号の説明】
１．丸棒
２．回転軸
３．横曲げ部
４．５．紐掛
６．保定具
７．柄
８．回転柄
９．固定具
１０．１１．マジックテープ
【図１】
0003101698.tif 000003
【図２】
0003101698.tif 000004
【図３】
0003101698.tif 000005
【図４】
0003101698.tif 000006
【図５】
0003101698.tif 000007
【図６】
0003101698.tif 000008
【手続補正書】
【提出日】平成15年12月18日(2003.12.18)
【手続補正１】
【補正対象書類名】明細書
【補正対象項目名】０００４
【補正方法】変更
【補正の内容】
【０００４】丸棒の１端を折り曲げて柄に固定し他の１端の中間に回転軸を作り．回転軸から折り曲げて回転柄に接続する丸棒の先端に横曲げ部を作る．横曲げ部は約４５度角位横曲げ出来るように設定する。
又柄と回転柄が平行に固定出来るように柄と回転柄との間に．磁石の貼付及び保定具．固定具を取りつけ固定し且つその取りはずしの簡易なもとする。
【手続補正２】
【補正対象書類名】明細書
【補正対象項目名】０００６
【補正方法】変更
【補正の内容】
【０００６】柄７と回転柄８との間には磁石１０．１１を貼付し且つ保定具６を付けて．回転柄８の前後の振れを押さえ更に掛けはずしの簡易に出来る固定具９を取りつけて接着を安定にする。又固定具９は市販品の活用でもよい。
図５（イ）（ロ）袋型にした布．及びモップ雑巾は丸棒１の前面．側面を被覆し側面にある２ヵ所のゴム紐を丸棒１に付随する紐掛４、５．に掛けて固定させて清掃．絞り等の操作を行う。
図６は機具を小型縮小し柄７．回転柄８を同じ長さに切り揃えて柄７．回転柄８を合わせて片手で握り清掃出来るようにしたものであり構造．機能は前者と同一である。
【図面の簡単な説明】
【図１】
兼用手押し型掃除機主要部の正面図である。
【図２】
同上掃除機主要部の左側面図である。
【図３】
兼用手押し型掃除機の全体正面図である。
【図４】
兼用手押し型掃除機の回転軸２を中心に回転する想像図の
【図５】
（イ）．布雑巾着装の正面図である。  （ロ），モップ雑巾着装の正面図である。
【図６】
兼用手押し型掃除機を小型縮小した正面図である．
【符号の説明】
１．丸棒
２．回転軸
３．横曲げ部
４．５．紐掛
６．保定具
７．柄
８．回転柄
９．固定具
１０．１１．磁石
【手続補正３】
【補正対象書類名】図面
【補正対象項目名】図１
【補正方法】変更
【補正の内容】
【図１】
0003101698.tif 000009
【手続補正４】
【補正対象書類名】図面
【補正対象項目名】図６
【補正方法】変更
【補正の内容】
【図６】
0003101698.tif 000010
【手続補正書】
【提出日】平成15年12月18日(2003.12.18)
【手続補正１】
【補正対象書類名】実用新案登録請求の範囲
【補正対象項目名】請求項１
【補正方法】変更
【補正の内容】
【請求項１】
（イ）  丸棒１の１端を折りまげて柄７に固定し柄７の先端近くに保定具６を取りつける。
（ロ）  丸棒１の中間に回転軸２を設け折りまげて回転軸２と回転柄８をつなぐ接点に横曲げ部３を設ける。
（ハ）  柄７と回転柄８との間に固定具９及び磁石１０．１１をつける。
（ニ）  丸棒１の両端近くに紐掛４．５を設置する。
以上のように構成された手押し型掃除機。